(57)【特許請求の範囲】
【請求項１】
基体上にアンテナコイルとフィルムコンデンサーからなる共振回路及びＩＣチップが実装されたＩＣモジュールと、該ＩＣモジュールを被着体に貼付するためにＩＣモジュール上に設けられた粘着剤とからなる情報記録タグであって、フィルムコンデンサーを含むＩＣモジュール上の領域と、その他のＩＣモジュール上の領域とを区分するように粘着剤の非存在部が形成されていることを特徴とする情報記録タグ。
【請求項２】
フィルムコンデンサーが、マイカコンデンサーである請求項１記載の情報記録タグ。
【請求項３】
粘着剤の非存在部が、粘着剤の印刷パターンから形成されている請求項１または２記載の情報記録タグ。
【請求項４】
粘着剤の非存在部が、ＩＣモジュールに貼付する粘着剤層のハーフカットにより形成されている請求項１または２記載の情報記録タグ。
【発明の詳細な説明】
【０００１】
【発明の属する技術分野】
被着体に貼付して使用され、その被着体の製品情報等を記録する、ＩＣモジュールを内蔵した情報記録タグに関する。
【０００２】
【従来の技術】
種々の製品について、製造メーカー、製品名、製造年月日、仕様、現在の使用度数等の各種の情報を記録するタグとして、ＩＣモジュールを内蔵し、所定の製品に貼付して使用される情報記録タグがある。
【０００３】
図７に示すように、このような情報記録タグ１０は、一般に、絶縁フィルムからなる基体１上にアンテナコイル２とフィルムコンデンサー５からなる共振回路及びＩＣチップ３を実装し、それをエポキシ樹脂等の熱硬化性樹脂、又はポリエステル等のホットメルト樹脂等からなる封止樹脂１１で封止し、その基体１側の面にアクリル系樹脂等の粘着剤１２を介してポリエステルフィルム等の外層フィルム１３を積層し、その反対側の表面に、粘着剤１４を介して剥離紙１５を積層したものとなっている。この剥離紙１５は、情報記録タグ１０が、被着体となる所定の製品に対してタグとして貼付されるときに剥離され、樹脂封止されたＩＣモジュールが粘着剤１４で所定の被着体に貼り着けられる。また、外層フィルム１３上には所定の製品表示等がなされる。
【０００４】
【発明が解決しようとする課題】
ところで、情報記録タグを所定の被着体に貼付した後、その情報記録タグが不正に剥離され、本来貼付されるべき被着体とは異なる製品で使用されるという情報記録タグの不正使用を防止するためには、一旦情報記録タグが所定の被着体に貼付された後には、その情報記録タグを不正に剥離すると、情報記録タグ自体が破壊されるようにすることが好ましい。
【０００５】
本発明は以上のような従来技術の問題点を解決しようとするものであり、一旦情報記録タグを所定の被着体に貼付した後、その情報記録タグをその被着体から剥がそうとするときには、情報記録タグに内蔵されている共振回路部が容易に破壊され、情報記録タグの不正使用が防止されるようにすることを目的とする。
【０００６】
【課題を解決するための手段】
本発明者は、情報記録タグに内蔵されているＩＣモジュールを封止樹脂で封止することなく、ＩＣモジュール上に粘着剤を設け、かつ、その粘着剤の形成パターンを、ＩＣモジュール上のフィルムコンデンサーを含む領域と、その他の領域とが区分されるようにすると、ＩＣモジュール上のフィルムコンデンサーを含む領域が容易に破壊されることを見出し、本発明を完成させた。
【０００７】
即ち、本発明は、基体上にアンテナコイルとフィルムコンデンサーからなる共振回路及びＩＣチップが実装されたＩＣモジュールと、該ＩＣモジュールを被着体に貼付するためにＩＣモジュール上に設けられた粘着剤とからなる情報記録タグであって、フィルムコンデンサーを含むＩＣモジュール上の領域と、その他のＩＣモジュール上の領域とを区分するように粘着剤の非存在部が形成されていることを特徴とする情報記録タグを提供する。
【０００８】
【発明の実施の形態】
以下、本発明を図面に基づいて詳細に説明する。なお、各図中、同一符号は同一又は同等の構成要素を表している。
【０００９】
図１は、インクリボン、ビデオフィルムその他種々の製品に貼付することによりその製品情報を記録する本発明の情報記録タグ１０Ａの平面図（同図（ａ））及び断面図（同図（ｂ））である。
【００１０】
この情報記録タグ１０Ａは、ＰＥＴ、ポリイミド等の絶縁フィルムからなる基体１上に、アンテナコイル２、ＩＣチップ３及びフィルムコンデンサー５を実装してＩＣモジュールを形成し、そのＩＣモジュールのフィルムコンデンサー５側に充填剤兼用ともなる粘着剤１７を介して剥離紙１５を積層し、その反対面に粘着剤１７を介してポリエステルフィルム等の外層フィルム１３を積層したものである。この剥離紙１５は、情報記録タグ１０Ａが所定の被着体に貼付されるときに剥離され、ＩＣモジュールが粘着剤１７によって被着体に貼付されるようにする。
【００１１】
この情報記録タグ１０Ａにおいては、ＩＣモジュール上の粘着剤１７に、フィルムコンデンサー５を含むＩＣモジュール上の領域と、その他のＩＣモジュール上の領域とが区分されるように、非存在部１８が設けられている点が特徴的となっている。これにより、図２（ａ）に示すように、剥離紙１５を剥離除去し、所定の被着体Ｓに情報記録タグ１０Ａを貼付した後、その情報記録タグ１０Ａを被着体Ｓから剥がそうとすると、同図（ｂ）に示すように、情報記録タグ１０Ａが粘着剤１７の非存在部１８で大きく曲がり、フィルムコンデンサー５に直接大きな歪みがかかる。従って、容易にフィルムコンデンサー５あるいはその周辺の共振回路部が破壊され、情報記録タグの剥離後の再使用を防止することができる。
【００１２】
このような粘着剤１７の非存在部１８の形成方法としては、例えば、図３に示すように、剥離紙１５上に非存在部１８が形成されるように粘着剤１７の印刷パターンを形成し、それを、外層フィルム１３上に接着したＩＣモジュール上に被せ、圧着する。なおこの場合、外層フィルム１３とＩＣモジュールを接着する粘着剤としては、剥離紙１５上に印刷する粘着剤１７と同様なものを使用することができる。
【００１３】
あるいは、図４（ａ）に示したように、剥離紙１５上に粘着剤１７を一様な層としてコーティングし、その後、同図（ｂ）に示したように、粘着剤層をハーフカットすることにより粘着剤の非存在部１８を形成し、これを、外層フィルム１３上に接着したＩＣモジュール上に被せ、圧着してもよい。
【００１４】
ここで、粘着剤１７としては、ハーフカット等の加工性の点からフィルム状接着剤等を使用することが好ましい。
【００１５】
一方、この情報記録タグ１０Ａにおいて、アンテナコイル２は、基体１を構成する絶縁フィルムと銅箔とからなる積層体の当該銅箔をエッチングすることにより形成されている。また、ＩＣチップ３は、異方導電性接着剤４によりフェイスダウン式に基体１上に実装されている。
【００１６】
フィルムコンデンサー５としては、種々のフィルム状のコンデンサーを使用することができるが、マイカフィルム６とその両面に形成された電極７ａ、７ｂからなるマイカコンデンサーを使用することが好ましい。マイカフィルム６は吸水率が低いので、マイカコンデンサー５の使用により、ＩＣモジュールの共振周波数が吸湿によりずれることを防止できる。また、一般にマイカフィルム６とその両面の電極７ａ、７ｂとの接着界面は、電極７ａ、７ｂと粘着剤１７との接着界面に比して接着強度が低いので、一旦、被着体に貼付された情報記録タグ１０Ａをその被着体から引き剥がそうとすると、マイカフィルム６とその電極７ａ、７ｂとの剥離によるマイカコンデンサー５の破壊が引き起こされやすくなるので、情報記録タグ１０Ａの不正使用をより確実に防止することができる。
【００１７】
また、マイカコンデンサー５はその電極部が異方導電性接着剤４によって基体１に接続されているが、電極部以外のマイカコンデンサー５は異方導電性接着剤４によっては基体１へ接着されておらず、また、マイカコンデンサー５の周辺部は粘着剤１７によって基体１と接着されているが、マイカコンデンサー５の中央部の基体１への対向面５ａには接着剤１７が存在せず、マイカコンデンサー５の中央部と基体１とを非接着状態にすることが好ましい。このようにマイカコンデンサー５をもっぱらその電極部のみで基体１と接着すると、情報記録タグ１０Ａを一旦被着体に貼付した後、引き剥がそうとするときに、マイカフィルムコンデンサー５の基体１への接続部が破壊され易くなり、情報記録タグ１０Ａの不正使用をより確実に防止することができる。
【００１８】
本発明の情報記録タグは、上述の情報記録タグ１０Ａの例に限らず、種々の態様をとることができる。例えば、フィルムコンデンサー５を含むＩＣモジュール上の領域と、その他のＩＣモジュール上の領域とを区分するように粘着剤１７の非存在部１８が形成されている限り、ＩＣモジュールを構成するアンテナコイル２、ＩＣチップ３、フィルムコンデンサー５それぞれの種類、形状、配置等は適宜定めることができる。また、この場合の粘着剤１７の非存在部１８が形成態様は、例えば、図５に示すように、フィルムコンデンサー５を含むＩＣモジュール上の領域が粘着剤１７の非存在部１８で囲まれるようにしてもよく、図６に示すようにフィルムコンデンサー５を含むＩＣモジュール上の領域が粘着剤１７の非存在部１８で囲まれていなくてもよい。
【００１９】
【発明の効果】
本発明の情報記録タグによれば、一旦、所定の被着体に貼付した後、その情報記録タグをその被着体から剥がそうとするときには、情報記録タグに内蔵されているフィルムコンデンサーあるいはフィルムコンデンサー周りの共振回路部が容易に破壊されるので、情報記録タグの不正使用を防止することができる。
【図面の簡単な説明】
【図１】本発明の情報記録タグの平面図（同図（ａ））及び断面図（同図（ｂ））である。
【図２】本発明の情報記録タグの不正使用防止の作用の説明図である。
【図３】本発明の情報記録タグの製造方法の説明図である。
【図４】本発明の情報記録タグの製造方法の説明図である。
【図５】本発明の情報記録タグにおける粘着剤の非存在部の形成態様の説明図である。
【図６】本発明の情報記録タグにおける粘着剤の非存在部の形成態様の説明図である。
【図７】従来の情報記録タグの平面図（同図（ａ））及び断面図（同図（ｂ））である。
【符号の説明】
１    基体
２    アンテナコイル
３    ＩＣチップ
５    フィルムコンデンサーまたはマイカコンデンサー
６    マイカフィルム
７ａ、７ｂ    マイカコンデンサーの電極
１０Ａ    情報記録タグ
１３    外層フィルム
１５    剥離紙
１７    粘着剤
１８    粘着剤の非存在部
【図１】
0003557981.tif 000002
【図２】
0003557981.tif 000003
【図３】
0003557981.tif 000004
【図４】
0003557981.tif 000005
【図５】
0003557981.tif 000006
【図６】
0003557981.tif 000007
【図７】
0003557981.tif 000008